(57)【要約】【課題】  収納している収納袋を容易に１枚ずつ順次取り出すことが可能な収納袋装置を提供する。【解決手段】  厚地の紙材及び段ボールのいずれか１又は双方を用いて組立られた紙製箱１１と、紙製箱１１の内部に収納された複数枚の合成樹脂シート製の収納袋１２とを有する収納袋装置１０であって、各収納袋１２は紙製箱１１の内部の平面的形状に合わせて複数折りされ、かつ紙製箱１１内に一枚ごと順次積み重ね状態で収納され、紙製箱１１の天井部１８の少なくとも一方側端部に、ミシン目３１によって切欠き可能でかつ紙製箱１１の幅より狭い開口部３７を形成し、開口部３７より収納袋１２を順次取り出せる。【選択図】        図１
0003115891.tif 000002
【実用新案登録請求の範囲】
【請求項１】
厚地の紙材及び段ボールのいずれか１又は双方を用いて組立られた紙製箱と、該紙製箱の内部に収納された複数枚の合成樹脂シート製の収納袋とを有する収納袋装置であって、
前記各収納袋は前記紙製箱の内部の平面的形状に合わせて複数折りされ、かつ前記紙製箱内に一枚ごと順次積み重ね状態で収納され、前記紙製箱の天井部の少なくとも一方側端部に、ミシン目によって切欠き可能でかつ前記紙製箱の幅より狭い開口部を形成し、前記開口部より前記収納袋を順次取り出せることを特徴とする収納袋装置。
【請求項２】
請求項１記載の収納袋装置において、前記開口部は、前記天井部の一方側端部から側板上部まで延設されていることを特徴とする収納袋装置。
【請求項３】
請求項１記載の収納袋装置において、前記開口部は、前記天井部の一方側端部から側板下部まで延設されていることを特徴とする収納袋装置。
【請求項４】
請求項１〜３のいずれか１項に記載の収納袋装置において、前記収納袋は毛布又は布団を入れるポリエチレン製の袋であることを特徴とする収納袋装置。
【考案の詳細な説明】
【技術分野】
【０００１】
本考案は、収納している収納袋を１枚ずつ取り出せる収納袋装置に関する。
【背景技術】
【０００２】
従来、クリーニング済の毛布や布団を収納するポリエチレン製の袋（ポリ袋）は、例えば、５０〜１００枚を積み重ねて全体を三つ折り又は四つ折りし、クラフト紙又はポリエチレン製の包装袋に入れられている。このため、包装袋の一端側を開封してポリ袋を一枚ずつ引き出そうとしても、引き出そうとするポリ袋は上下のポリ袋と共に折り込まれているので容易に取り出せず、無理に引き出そうとすると、包装袋の中で積み重ねられた複数枚のポリ袋が部分的にずれて引き出せない状態になる。
一方、一枚一枚の切れ目が１点式連接になった複数枚の補充用ごみ袋を折り畳んで収納しているごみ袋収納容器をごみ箱の底部に配置して、ごみ袋収納容器の上面に形成した引き出し口から１枚ずつ未使用の補充用ごみ袋を引き出してごみ箱の内側を覆うように被せて使用するごみ箱内蔵の補充用ごみ袋及びその収容容器が提案されている（例えば、特許文献１参照）。
【０００３】
【特許文献１】実用新案登録第３０５９４６６号公報
【考案の開示】
【考案が解決しようとする課題】
【０００４】
特許文献１に記載された考案では、補充用ごみ袋は一枚一枚の切れ目が１点式連接になっているため、補充用ごみ袋をごみ袋収納容器から引き出し、引き出した状態でそのまま使用する場合は、使用済みの補充用ごみ袋を取り除くと共に次に使用する未使用の補充用ごみ袋が引き出されるので便利である。しかしながら、補充用ごみ袋をごみ袋収納容器から順次引き出してそれぞれ個別に使用する場合、引き出した補充用ごみ袋を次に引き出される補充用ごみ袋と切り離す必要が有り、しかも、次に引き出される補充用ごみ袋の先部を引き出し口から突出した状態にしておかないと、次の補充用ごみ袋の引き出しに支障が生じるという問題がある。
【０００５】
本考案はかかる事情に鑑みてなされたもので、収納されている収納袋を容易に１枚ずつ順次取り出すことが可能な収納袋装置を提供することを目的とする。
【課題を解決するための手段】
【０００６】
前記目的に沿う本考案に係る収納袋装置は、厚地の紙材及び段ボールのいずれか１又は双方を用いて組立られた紙製箱と、該紙製箱の内部に収納された複数枚の合成樹脂シート製の収納袋とを有する収納袋装置であって、
前記各収納袋は前記紙製箱の内部の平面的形状に合わせて複数折りされ、かつ前記紙製箱内に一枚ごと順次積み重ね状態で収納され、前記紙製箱の天井部の少なくとも一方側端部に、ミシン目によって切欠き可能でかつ前記紙製箱の幅より狭い開口部を形成し、前記開口部より前記収納袋を順次取り出せる。
【０００７】
本考案に係る収納袋装置において、前記開口部は、前記天井部の一方側端部から側板上部まで延設されていることが好ましい。また、前記開口部を、前記天井部の一方側端部から側板下部まで延設してもよい。
ここで、前記収納袋は毛布又は布団を入れるポリエチレン製の袋とすることができる。
【考案の効果】
【０００８】
請求項１〜４記載の収納袋装置においては、一枚ずつ折り畳まれた収納袋が順次積み重ね状態で紙製箱内に収納されているので、ミシン目によって切り欠いて形成した開口部から収納袋を一枚ずつスムーズに紙製箱から取り出すことができる。また、紙製箱は積み重ねることができるので、仕様の異なる複数種類の収納袋が収納された収納袋装置を並べて、保管場所の広さの制約を受けずに使用することが可能になる。
【０００９】
特に、請求項２記載の収納袋装置においては、開口部が側板上部まで形成されているので、最上部に載っている収納袋を指で摘まみながら取り出すことができる。
また、請求項３記載の収納袋装置においては、多数枚の収納袋を収納した紙製箱であっても、最後まで収納袋を指で触れてスムーズに取り出すことができる。
そして、請求項４記載の収納袋装置においては、毛布又は布団のサイズ毎にポリエチレン製の袋のサイズを準備することにより、クリーニング工場での洗濯済の毛布又は布団を効率的に袋に収納することができる。
【考案を実施するための最良の形態】
【００１０】
続いて、添付した図面を参照しつつ、本考案を具体化した実施の形態につき説明し、本考案の理解に供する。
ここで、図１は本考案の一実施の形態に係る収納袋装置の一部切り欠き斜視図、図２（Ａ）〜（Ｄ）は同収納袋装置の収納袋の折り方の手順を示す説明図、図３（Ａ）は同収納袋装置の紙製箱の展開図、（Ｂ）は（Ａ）のＰ−Ｐ矢視断面図、図４は同収納袋装置の使用方法の一例を示す説明図である。
【００１１】
図１に示すように、本考案の一実施の形態に係る収納袋装置１０は、厚地の紙材が使用された、例えば、平面視して矩形状の紙製箱１１と、紙製箱１１の内部に収納された複数枚の合成樹脂シート製の収納袋の一例である、例えば、平面視して矩形状のクリーニング業で使用するポリエチレン製の袋（以下、単にポリ袋という）１２とを有している。以下、詳細に説明する。
【００１２】
ポリ袋１２は、紙製箱１１の内部の平面的形状（本実施の形態では矩形状）に合うように複数折り、例えば、図２（Ａ）に示すように、ポリ袋１２の底辺に平行な折り返し線１３で折り返して図２（Ｂ）に示す１／２のサイズにし、次いで図２（Ｂ）に示すように、ポリ袋１２の底辺に平行な折り返し線１４で更に折り返して図２（Ｃ）に示す更に１／４のサイズにして、図２（Ｃ）に示すように、折り返し線１４に直交する折り返し線１５で折り畳んで、図２（Ｄ）に示すように１／８のサイズとする。そして、１／８のサイズの大きさまで折り畳まれたポリ袋１２は、紙製箱１１内に一枚ずつ順次積み重ね状態で、例えば１００枚収納されている。
【００１３】
紙製箱１１は、箱本体１６と、箱本体１６の所定の位置に貼付されるラベル部材１７を有している。ここで、ラベル部材１７は、裏面側に接着材が塗布されたシート片で、表面にはポリ袋１２のサイズ及び枚数、ポリ袋１２の適用対象となる収納物品名等の情報が記載されている。
図３（Ａ）、（Ｂ）には、箱本体１６を展開状態にして示しているが、箱本体１６は、厚地の紙材で形成される天井部１８と、天井部１８の幅方向の両側に連接する第１側板部１９及び第２側板部２０並びに天井部１８の長手方向の両側に連接する第３側板部２１及び第４側板部２２からなる側板２３と、第２側板部２０に連接する底部２４を有している。
【００１４】
また、天井部１８の幅方向の両側、第１側板部１９、第２側板部２０、底部２４、第３側板部２１の幅方向の両側、及び第４側板部２２の幅方向の両側の裏面には、それぞれ段ボール製の天井部補強材２６、第１側板補強材２５、第２側板補強材２７、底部補強材２８、第３側板補強材２９、及び第４側板補強材３０が貼付されている。
更に、天井部１８の長手方向の一方側端部及びこれに連通する第４側板部２２の上部（天井部１８側）には、紙製箱１１の幅（天井部１８及び第４側板部２２の幅）より狭く、しかも、手が入る幅（例えば、５〜２０ｃｍ）を有する領域を囲うようにミシン目３１が設けられ、展開状態の箱本体１６は天井部１８及び第１側板部１９の当接部、天井部１８及び第２側板部２０の当接部、第２側板部２０及び底部２４の当接部、天井部１８及び第３側板部２１の当接部、並びに天井部１８及び第４側板部２２の当接部には、それぞれ折り目３２〜３６が形成されている。ここで、ミシン目３１で囲まれる領域は、領域の全周の一部（例えば、図３に示すように、天井部１８に形成する半円形の部分）を切り抜きにより形成し、残部をミシン目で形成するようにしてもよい。
【００１５】
これによって、展開状態の紙本体１６を折り目３２〜３６の箇所で、天井部１８、第１側板部１９、第２側板部２０、第３側板部２１、第４側板部２２、及び底部２４をそれぞれ隣接する面が直交するように裏面側に折り返して箱状にして箱本体１６を組み立てることができる。次いで、図２（Ｄ）に示すように１／８のサイズまで折り畳んだポリ袋１２の折り返し線１５が底部２４の一方側、例えば、ミシン目３１が設けられた第４側板部２２側を向くように、方向を揃えて底部２４の裏面上に所定枚数積み重ねてから、組み立てた箱本体１６の互いに当接する端同士を図示しない粘着テープで固定することにより、内部に所定枚数のポリ袋１２を一枚ずつ順次積み重ね状態で収納した箱本体１６を形成することができる。そして、ラベル部材１７を、ミシン目３１で囲まれた領域の近傍、例えば、天井部１８の幅方向の一方側で、天井部１８の長手方向の一方側端部からこれに連通する第４側板部２２の上部にかけての領域に貼付する。
【００１６】
紙製箱１１に形成されたミシン目３１に沿って切り込みを入れることにより、ミシン目３１に囲まれた領域を取り除いて、開口部３７を形成することができる。これによって、紙製箱１１に形成した開口部３７より、紙製箱１１内に収納したポリ袋１２を１枚ずつ順次取り出すことができると共に、ポリ袋１２の消費量を容易に視認することができる。
更に、紙製箱１１は、段ボール製の第１側板補強材２５、天井部補強材２６、第２側板補強材２７、底部補強材２８、第３側板補強材２９、及び第４側板補強材３０が設けられているので、紙製箱１１の押し潰しに対する強度が大きくなって、例えば、図４に示すように、紙製箱１１を厚み方向に重ねて配置することができる。
【００１７】
次に、本考案の一実施の形態に係る収納袋装置の使用方法について説明する。
例えば、クリーニング工場で、クリーニング済の毛布及び布団のポリ袋への収納作業を行なう場合、図４に示すように、毛布のサイズに対応して使用するポリ袋３８、３９、布団のサイズに対応して使用するポリ袋４０〜４２をそれぞれ有する収納袋装置４３〜４７を準備する。そして、収納袋装置４３〜４７の紙製箱４８〜５２に形成されたミシン目箇所を切り欠いて開口部５３〜５７を形成する。そして、各開口部５３〜５７を作業者側に向け、サイズのより大きなポリ袋を収納している収納袋装置を下側にして積み重ねることにより（本実施の形態では、収納袋装置４７を一番下に配置し、収納袋装置４６、収納袋装置４５、収納袋装置４４、収納袋装置４３の順に積み重ねて配置する）収納袋装置４３〜４７の配置作業が完了する。このとき、紙製箱４８〜５２に貼付したラベル部材５８〜６２の記載面は、作業者側に向いている。
【００１８】
毛布をポリ袋に収納する場合は、先ず毛布を所定サイズまで折り畳み、折り畳んだ毛布が収納できる大きさを有するポリ袋３８、３９をラベル部材５８、５９の記載に基づいて選定する。そして、選定されたポリ袋３８（３９）を開口部５３（５４）から１枚引き抜くと、ポリ袋３８（３９）は引き抜きと共に折り畳み状態が徐々に解放されるので、紙製箱４８（４９）からポリ袋３８（３９）を完全に引き出した際には、ポリ袋３８（３９）は広げられた状態になり、ポリ袋３８（３９）内に、折り畳んだ毛布を容易に装入することができる。
【００１９】
一方、布団をポリ袋に収納する場合は、先ず布団を所定サイズまで折り畳み、折り畳んだ布団が収納できる大きさを有するポリ袋４０〜４２をラベル部材６０〜６２の記載に基づいて選定する。そして、選定されたポリ袋４０（４１、４２）を開口部５５（５６、５７）から１枚引き抜くと、広げられた状態のポリ袋４０（４１、４２）が得られるので、折り畳んだ布団を容易に装入することができる。
【００２０】
以上、本考案の実施の形態を説明したが、本考案は、この実施の形態に限定されるものではなく、考案の要旨を変更しない範囲での変更は可能であり、前記したそれぞれの実施の形態や変形例の一部又は全部を組み合わせて本考案の収納袋装置を構成する場合も本考案の権利範囲に含まれる。
例えば、本実施の形態では、開口部が天井部の一方側端部及びこれに連通する側板上部まで延設されるように形成したが、紙製箱の天井部の一方側端部に形成するようにしても、天井部の一方側端部から側板下部まで延設されるように形成してもよい。開口部を天井部の一方側端部から側板下部まで延設することにより、ポリ袋の消費量を容易に把握することができると共に、紙製箱に残った最後の１枚まで確実に引き出すことができる。
【００２１】
また、厚地の紙材で形成した第１側板部、第３及び第４側板部の一部、天井部の一部、第２側板部、及び底部の裏面に補強材としてそれぞれ段ボールを貼付したが、第１〜第４側板部、天井部、及び底部の全面に段ボールを貼付してもよい。更に、厚地の紙材の代りに段ボールを使用して紙製箱を形成することもできる。この場合、収納するポリ袋の重量に対して十分に耐えられる強度を有する段ボールを使用すると、補強部材として更に段ボールを貼付する必要がなくなる。
なお、本実施の形態では、クリーニング業で使用するポリ袋を収納する収納袋装置について説明したが、本考案の収納袋装置は、ごみ回収時に使用する非塩化系の合成樹脂シート製のごみ回収袋、又はごみ箱の内面に被せて使用する非塩化系の合成樹脂シート製のごみ袋用としも適用できる。
【図面の簡単な説明】
【００２２】
【図１】本考案の一実施の形態に係る収納袋装置の一部切り欠き斜視図である。
【図２】（Ａ）〜（Ｄ）はそれぞれ同収納袋装置の収納袋の折り方の手順を示す説明図である。
【図３】（Ａ）は同収納袋装置の紙製箱の展開図、（Ｂ）は（Ａ）のＰ−Ｐ矢視断面図である。
【図４】同収納袋装置の使用方法の一例を示す説明図である。
【符号の説明】
【００２３】
１０：収納袋装置、１１：紙製箱、１２：ポリエチレン製の袋、１３〜１５：折り返し線、１６：箱本体、１７：ラベル部材、１８：天井部、１９：第１側板部、２０：第２側板部、２１：第３側板部、２２：第４側板部、２３：側板、２４：底部、２５：第１側板補強材、２６：天井部補強材、２７：第２側板補強材、２８：底部補強材、２９：第３側板補強材、３０：第４側板補強材、３１：ミシン目、３２〜３６：折り目、３７：開口部、３８〜４２：ポリ袋、４３〜４７：収納装置、４８〜５２：紙製箱、５３〜５７：開口部、５８〜６２：ラベル部材
【図１】
0003115891.tif 000003
【図２】
0003115891.tif 000004
【図３】
0003115891.tif 000005
【図４】
0003115891.tif 000006